(57)【要約】【課題】従来の照明用ＬＥＤユニットは、本体内に色調可変設定をする機能がなく、任意の色調に変えたい場合はＬＥＤユニット自体の取替えとなり、色調も数種類と選択肢が少ないものや、ＬＥＤユニットを取替えずに色調設定ができても、外部に別配設の色調設定操作装置及びそれに伴う配線の考慮を必要とするものであった。【解決手段】光の三原色である赤色・緑色・青色のＬＥＤを複数配設した円形の回転プリント基板の回転角度設定により、ＬＥＤの点灯組合せを変えることで多くの色調設定が自己完結形でできるように構成した照明用ＬＥＤユニットであり、回転プリント基板と一体化したＬＥＤ上部のカバーを色調設定用の回転操作部として利用するため、構成の簡素化及び操作性に効果を発揮するものである。【選択図】図１
2006269105.tif 000002
【特許請求の範囲】
【請求項１】
光の三原色である赤色・緑色・青色のＬＥＤを複数配設した回転プリント基板と、その下側に前記回転プリント基板との相対的な回転角度設定により、前記三原色ＬＥＤの点灯組合せを変えて光の合成での色調変化をさせる配電をするように形成した固定プリント基板を設け、前記回転プリント基板と前記固定プリント基板の間に電気的に接続する回転プリント基板給電装置を設けた照明用ＬＥＤユニット。
【請求項２】
本体ケースの上面に色調設定目盛を設け、前記回転プリント基板に固定したＬＥＤ上部のカバーにおいて、前記色調設定目盛に対して回転させて合わせる色調設定位置表示マークを設けた請求項１記載の照明用ＬＥＤユニット。
【発明の詳細な説明】
【技術分野】
【０００１】
本発明は、色調可変設定機能を内蔵した照明用ＬＥＤユニットに関する。
【背景技術】
【０００２】
従来の照明用ＬＥＤユニットには、数種類の固定した色調から選択して照明器具に取付けるようにしているものがある。（例えば、非特許文献１参照）
また、照明用ＬＥＤユニットから引出した電源配線の手前側に別配設の色調設定操作装置を設けて、色調可変設定をできるようにしているものもある。（例えば、非特許文献２参照）
【非特許文献１】「Ｎａｔｉｏｎａｌ  ＥＶＥＲＬＥＤＳ（エバーレッズ）」，松下電工株式会社，２００４年，ｐ−０９５
【非特許文献２】「Ｎａｔｉｏｎａｌ  ＥＶＥＲＬＥＤＳ（エバーレッズ）」，松下電工株式会社，２００４年，ｐ−０２３・０２４
【発明の開示】
【発明が解決しようとする課題】
【０００３】
以上に述べた従来の照明用ＬＥＤユニットでは、色調可変設定をする機能を内蔵したものがなく、任意の色調に変えたい場合はＬＥＤユニット自体の取替えとなり、色調も数種類と選択肢が少なくて微妙な中間色に対応出来ないものと、ＬＥＤユニットを取替えずに色調可変設定ができても、外部に別配設の色調設定操作装置及びそれに伴う配線の考慮を必要とするものであった。
【０００４】
本発明は、このような従来の構成が有していた問題を解決しようとするものであり、外部に別配設の色調設定操作装置が不要な自己完結形で、多くの色調を簡単な操作で設定出来る機能を内蔵した照明用ＬＥＤユニットを実現することを目的とするものである。
【課題を解決するための手段】
【０００５】
そして、本発明は上記目的を達成するために光の三原色である赤色・緑色・青色のＬＥＤを複数配設した回転プリント基板と、その下側に前記回転プリント基板との相対的な回転角度設定により、前記三原色ＬＥＤの点灯組合せを変えて光の合成での色調変化をさせる配電をするように形成した固定プリント基板を設け、前記回転プリント基板と固定プリント基板の間に電気的に接続する回転プリント基板給電装置を設けたものである。
【０００６】
また、第２の課題解決手段は、本体ケースの上面に色調設定目盛を設け、前記回転プリント基板に固定したＬＥＤ上部のカバーにおいて、前記色調設定目盛に対して回転させて
合わせる色調設定位置表示マークを設けたものである。
【０００７】
上記第１の課題解決手段による作用は次の通りである。すなわち、光の三原色である赤色・緑色・青色のＬＥＤを複数配設した回転プリント基板の回転角度設定により、前記三原色ＬＥＤの点灯組合せを変えることで、光の合成での多くの色調設定を自己完結形でできるため、別配設の色調設定操作装置及びそれに伴う配線の考慮も不要となる。
【０００８】
また、第２の課題解決手段による作用は、前記回転プリント基板に固定したＬＥＤ上部のカバーが色調設定用の回転操作部を兼ねており、その回転操作により色調設定目盛に対して色調設定位置表示マークを合わせることで色調設定ができる。
【発明の効果】
【０００９】
上述したように本発明の照明用ＬＥＤユニットは、外部に別配設の色調設定操作装置及びそれに伴う配線の考慮が不要な自己完結形での色調設定操作により、多くの色調表現を発揮できる。
【００１０】
また、ＬＥＤ上部のカバーを色調設定用の回転操作部として利用するため、構成の簡素化及び操作性に効果を発揮するものであり、さらに色調設定目盛及び色調設定位置表示マークにより色調設定状態を把握できるため、同照明用ＬＥＤユニットを複数配設した場合の色調設定整合において利便性効果を発揮する。
【発明を実施するための最良の形態】
【００１１】
以下、本発明の実施の形態を図１〜図９に基づいて説明する。
【００１２】
図においては、１は基板中心軸１ａと位置決めピン１ｂが一体となった本体底板で、その下段には固定プリント基板２に一次側電源接続ピン形端子３を組込んだものを固定し、上段には回転プリント基板４に回転プリント基板給電装置５と赤色ＬＥＤ６と緑色ＬＥＤ７と青色ＬＥＤ８と上部カバー９を組込んだものを、基板押さえ板１０で押さえ込んで回転可能な状態で固定し、上方から本体ケース１１に回転プリント基板設定位置固定用板バネ１２を組込んだもので閉塞されている。ただし、ここで本ＬＥＤユニットはピン形端子３での給電となっているが、照明器具側の形状等との兼合いから、引出し線または口金等による方法もあり、給電方法を特に限定する必要はないものとする。
【００１３】
また、本体ケース１１には、図２のように上部に色調設定目盛１１ａを設け、上部カバー９には色調設定位置表示マーク９ｂを設けている。
【００１４】
また、回転プリント基板４の上下面には、図３のように赤色ＬＥＤ６と緑色ＬＥＤ７と青色ＬＥＤ８と給電装置５を電気的に接続するためのプリント配線４ａ・４ｂを、固定プリント基板２の上下面には、図４のように一次側電源接続ピン形端子３から回転プリント基板給電装置５に配電するためのプリント配線２ａ・２ｂを施している。
【００１５】
また、回転プリント基板４の設定位置を適度な機械的圧力で固定保持するために、本体ケース１１に組込まれている回転プリント基板設定位置固定用板バネ１２と、上部カバー９における回転プリント基板設定位置固定用溝９ａとの噛み合わせの詳細は、図１におけるＡ−Ａ線断面図である図５による。
【００１６】
また、回転プリント基板４と固定プリント基板２との電気的接続のために組込まれている回転プリント基板給電装置５と給電接触子５ａの詳細は、図１におけるＢ−Ｂ線断面図である図６によるが、ここで固定プリント基板２の上面プリント配線２ａにおける給電接触子５ａと接する範囲については、絶縁被覆を施さない通電可能な状態とする。
【００１７】
以下、上記構成の動作を説明する。一次側電源接続ピン形端子３から取入れた電流は、固定プリント基板２のプリント配線２ａ・２ｂから回転プリント基板給電装置５を通じて回転プリント基板４のプリント配線４ａ・４ｂへと流れて、赤色ＬＥＤ６と緑色ＬＥＤ７と青色ＬＥＤ８の回路に供給されるが、ここで、回転プリント基板４の回転角度設定位置によって、色調パターンを考慮して構成された固定プリント基板２の上面プリント配線２ａと給電接触子５ａとが接触して通電状態となっている回路のＬＥＤが点灯をし、その場合の光の合成色がＬＥＤユニットとしての色調となる。
【００１８】
また、前記回転プリント基板４に固定した上部カバー９が色調設定用の回転操作部を兼ねており、上部カバー９の色調設定位置表示マーク９ｂを、本体ケース１１の色調設定目盛１１ａに回転させて合わせることで色調設定ができる。
【００１９】
また、赤色ＬＥＤ６と緑色ＬＥＤ７と青色ＬＥＤ８の配設数及び色調パターン数については、ＬＥＤ固有の明るさ及び色調パターンの考え方により組合せが幾通りも考えられるが、その一例として図７〜図９で色調パターンに関する説明をすると、図７のように赤色ＬＥＤ６をＲ１とＲ２の２回路、緑色ＬＥＤ７をＧ１とＧ２の２回路、青色ＬＥＤ８をＢ１とＢ２の２回路で点灯回路を編成した場合は、色調パターンの種類は図８の表のように２６種類となるが、ここで２６種類のうち点灯数に相違があって同色調のもの（たとえば、図８の表内のパターン数番号３・１５）も存在するため、同色のＬＥＤが２回路のみ点灯するもの（図８の表内のパターン数番号９・２１・２５）以外において点灯回路数が２以下のもの（図８の表内のパターン数番号１５・１７・１８・２３・２４・２６）を削除して色調の並びを整理すると、図９の表のように２０種類となる。
【図面の簡単な説明】
【００２０】
【図１】本発明の実施形態を示す照明用ＬＥＤユニットの全体断面図
【図２】同照明用ＬＥＤユニットの上方から見た外観図
【図３】同回転プリント基板の上方から見た外観図
【図４】同固定プリント基板の上方から見た外観図
【図５】同照明用ＬＥＤユニットの図１におけるＡ−Ａ線断面図
【図６】同照明用ＬＥＤユニットの図１におけるＢ−Ｂ線断面図
【図７】同ＬＥＤの色及び点灯回路組配置図
【図８】同ＬＥＤの点灯組合せからの色調パターン一覧表（全組合せ２６種類）
【図９】同ＬＥＤの点灯組合せからの色調パターン一覧表（選択抜粋２０種類）
【符号の説明】
【００２１】
１  本体底板
１ａ  基板中心軸
１ｂ  位置決めピン
２  固定プリント基板
２ａ  固定プリント基板上面プリント配線
２ｂ  固定プリント基板下面プリント配線
３  一次側電源接続ピン形端子
４  回転プリント基板
４ａ  回転プリント基板上面プリント配線
４ｂ  回転プリント基板下面プリント配線
５  回転プリント基板給電装置
５ａ  給電接触子
５ｂ  基板給電装置接続端子
６  赤色ＬＥＤ
７  緑色ＬＥＤ
８  青色ＬＥＤ
９  上部カバー（半透明または拡散透過性乳白色等）
９ａ  回転プリント基板設定位置固定用溝
９ｂ  色調設定位置表示マーク
１０  回転基板押さえ板
１１  本体ケース
１１ａ  色調設定目盛
１２  回転プリント基板設定位置固定用板バネ
【図１】
2006269105.tif 000003
【図２】
2006269105.tif 000004
【図３】
2006269105.tif 000005
【図４】
2006269105.tif 000006
【図５】
2006269105.tif 000007
【図６】
2006269105.tif 000008
【図７】
2006269105.tif 000009
【図８】
2006269105.tif 000010
【図９】
2006269105.tif 000011
【手続補正書】
【提出日】平成17年3月22日(2005.3.22)
【手続補正１】
【補正対象書類名】図面
【補正対象項目名】図７
【補正方法】変更
【補正の内容】
【図７】
2006269105.tif 000012
【手続補正書】
【提出日】平成17年10月17日(2005.10.17)
【手続補正１】
【補正対象書類名】特許請求の範囲
【補正対象項目名】全文
【補正方法】変更
【補正の内容】
【特許請求の範囲】
【請求項１】
光の三原色である赤色・緑色・青色のＬＥＤを複数配設した回転プリント基板と、その下側に前記回転プリント基板との相対的な回転角度設定により、前記三原色ＬＥＤの点灯組合せを変えて光の合成での色調変化をさせる配電をするように形成した固定プリント基板を設け、前記回転プリント基板と前記固定プリント基板の間に電気的に接続する回転プリント基板給電装置を設けて、さらに、本体ケースの上面に色調設定目盛を設け、前記回転プリント基板に固定したＬＥＤ上部のカバーにおいて、前記色調設定目盛に対して回転させて合わせる色調設定位置表示マークを設けた照明用ＬＥＤユニット。